(57)【要約】ＵＴＲＡ  ＴＤＤモードにおける効率的同期チャンネル符号化のためのエンコーダ及び方法であって、コードワードａ（ここで、ａ＝ｄＧ＋ｚ  ｍｏｄｕｌｏ−２であり、ｄは符号化対象の所定のコードグループを表し、Ｇは所定の生成行列を表し、ｚはコードグループ番号と前記生成行列の行の関数を表す）を生成し、値ｓｋ＝２ａ２ｋ＋１＋ａｋ；ｋ＝０，１，２，３及び、関連付けされた値ｂ０，ｂ１，ｂ２を生成し、コードグループと関連付けされた値ＳＳＳＣ（ここで、ＳＳＳＣ＝（ｂ０ｃπ（０），ｂ１ｃπ（１），ｂ２ｃπ（２））であり、ｃπは前記コードグループ内のコードを表し、ｂ０，ｂ１，ｂ２∈（±１，±ｊ）である）を生成することによるエンコーダ及び方法である。これは、ＵＴＲＡ  ＴＤＤモードにおける同期チャンネルの効率的な符号化アーキテクチャを提供し、さらに、生成行列の簡単な操作により、より高いチップレート信号が、より低いチップレートのための信号情報を保持しながら、信号送信される。
2005503067.tif 000002
【特許請求の範囲】
【請求項１】
ＵＴＲＡ  ＴＤＤモードにおける効率的同期チャンネル符号化のための方法であって、
コードワードａ（ここで、ａ＝ｄＧ＋ｚ  ｍｏｄｕｌｏ−２であり、ｄは符号化対象の所定のコードグループを表し、Ｇは所定の生成行列を表し、ｚはコードグループ番号と前記生成行列の行の関数を表す）を生成するステップと、
値ｓｋ＝２ａ２ｋ＋１＋ａｋ；ｋ＝０，１，２，３及び、関連付けされた値ｂ０，ｂ１，ｂ２を生成するステップと、
コードグループと関連付けされた値ＳＳＳＣ（ここで、ＳＳＳＣ＝（ｂ０ｃπ（０），ｂ１ｃπ（１），ｂ２ｃπ（２））であり、ｃπは前記コードグループ内のコードを表し、ｂ０，ｂ１，ｂ２∈（±１，±ｊ）である）を生成するステップとからなることを特徴とする方法。
【請求項２】
請求項１記載の方法であって、前記生成行列は、第１のケースにおいて、
【数１】
2005503067.tif 000019
に実質的に等しいことを特徴とする方法。
【請求項３】
請求項１または２記載の方法であって、前記生成行列は、第２のケースにおいて、
【数２】
2005503067.tif 000020
に実質的に等しいことを特徴とする方法。
【請求項４】
請求項１、２または３記載の方法であって、第１ケースにおいて、ｄは（ｆ，ｕ０，ｕ１，ｕ２）（ここで、ｆは第１フレームに対して０、第２フレームに対して１であり、ｕ０，ｕ１，ｕ２は前記コードグループ番号の２進数表示からのビットを表す）からなり、ｚ＝ｕ３（ｕ２＋１）ｇ３減ぜられたｍｏｄｕｌｏ−２（ここで、ｇ３は前記生成行列の行を表す）であることを特徴とする方法。
【請求項５】
請求項１、２、３または４記載の方法であって、第２ケースにおいて、ｄは（Ｋ，ｆ，ｕ０，ｕ１）（ここで、Ｋはｋ番目のスロットに対して０、ｋ＋１番目のスロットに対して１であり、ｆは第１フレームに対して０、第２フレームに対して１であり、ｕ０，ｕ１，ｕ２は前記コードグループ番号の２進数表示からのビットを表す）からなり、ｚ＝ｕ２（ｕ１＋１）ｇ３減ぜられたｍｏｄｕｌｏ−２（ここで、ｇ３は前記生成行列の行を表す）であることを特徴とする方法。
【請求項６】
ＵＴＲＡ  ＴＤＤモードにおける効率的同期チャンネル符号化のための方法であって、
符号化対象である所定のコードグループと、所定の生成行列Ｇと、コードグループ番号と前記生成行列の行の関数とからコードワードを生成するステップと、
前記コードグループに関連付けされた値ＳＳＳＣ（ここで、ＳＳＳＣ＝（ｂ０ｃπ（０），ｂ１ｃπ（１），ｂ２ｃπ（２））であり、ｃπは前記コードグループ内のコードを表し、ｂ０，ｂ１，ｂ２∈（±１，±ｊ）である）を生成するステップとからなり、
前記生成行列は、そこから生成されたパラメータが第１チップレートを示す第１値と第２チップレートを示す第２値との間で変化するような値を有することを特徴とする方法。
【請求項７】
請求項６記載の方法であって、前記生成行列は、第１ケースにおいて、
【数３】
2005503067.tif 000021
に実質的に等しいことを特徴とする方法。
【請求項８】
請求項６または７記載の方法であって、前記生成行列は、第２のケースにおいて、
【数４】
2005503067.tif 000022
に実質的に等しいことを特徴とする方法。
【請求項９】
請求項６乃至８何れか一項記載の方法であって、前記コードワードａはａ＝ｄＧ＋ｚ  ｍｏｄｕｌｏ−２（ここで、ｄは符号化対象の所定のコードグループを表し、Ｇは所定の生成行列を表し、ｚはコードグループ番号と前記生成行列の行との関数を表す）により表されることを特徴とする方法。
【請求項１０】
請求項９記載の方法であって、第１ケースにおいて、ｄは（Ｃｒ，ｆ，ｕ０，ｕ１，ｕ２）（ここで、Ｃｒはチップレートを示すビットを表し、ｆは第１フレームに対して０、第２フレームに対して１であり、ｕ０，ｕ１，ｕ２は前記コードグループ番号の２進数表示からのビットを表す）からなり、ｚ＝ｕ３（ｕ２＋１）ｇ４減ぜられたｍｏｄｕｌｏ−２（ここでｇ４は前記生成行列の行を表す）であることを特徴とする方法。
【請求項１１】
請求項９または１０記載の方法であって、第２ケースにおいて、ｄは（Ｃｒ，Ｋ，ｆ，ｕ０，ｕ１）（ここで、Ｃｒはチップレートを示すビットを表し、Ｋはｋ番目のスロットに対して０、ｋ＋１番目のスロットに対して１であり、ｆは第１フレームに対して０、第２フレームに対して１であり、ｕ０，ｕ１，ｕ２は前記コードグループ番号の２進数表示からのビットを表す）からなり、ｚ＝ｕ２（ｕ１＋１）ｇ４減ぜられたｍｏｄｕｌｏ−２（ここでｇ４は前記生成行列の行を表す）であることを特徴とする方法。
【請求項１２】
ＵＴＲＡ  ＴＤＤモードにおける効率的同期チャンネル符号化のためのエンコーダであって、
コードワードａ（ここで、ａ＝ｄＧ＋ｚ  ｍｏｄｕｌｏ−２であり、ｄは符号化対象の所定のコードグループを表し、Ｇは所定の生成行列を表し、ｚはコードグループ番号と前記生成行列の行を表す）を生成する手段と、
値ｓｋ＝２ａ２ｋ＋１＋ａｋ；ｋ＝０，１，２，３及び、関連付けされた値ｂ０，ｂ１，ｂ２を生成する手段と、
前記コードグループと関連付けされた値ＳＳＳＣ（ここで、ＳＳＳＣ＝（ｂ０ｃπ（０），ｂ１ｃπ（１），ｂ２ｃπ（２））であり、ｃπは前記コードグループ内のコードを表し、ｂ０，ｂ１，ｂ２∈（±１，±ｊ）である）を生成する手段とからなることを特徴とするエンコーダ。
【請求項１３】
請求項１２記載のエンコーダであって、前記生成行列は、第１ケースにおいて、
【数５】
2005503067.tif 000023
に実質的に等しいことを特徴とするエンコーダ。
【請求項１４】
請求項１２または１３記載のエンコーダであって、前記生成行列は、第２ケースにおいて、
【数６】
2005503067.tif 000024
に実質的に等しいことを特徴とするエンコーダ。
【請求項１５】
請求項１２、１３または１４記載のエンコーダであって、第１ケースにおいて、ｄは（ｆ，ｕ０，ｕ１，ｕ２）（ここで、ｆは第１フレームに対して０、第２フレームに対して１であり、ｕ０，ｕ１，ｕ２は前記コードグループ番号の２進数表示からのビットを表す）からなり、ｚ＝ｕ３（ｕ２＋１）ｇ３減ぜられたｍｏｄｕｌｏ−２（ここでｇ３は前記生成行列の行を表す）であることを特徴とするエンコーダ。
【請求項１６】
請求項１２、１３、１４または１５記載のエンコーダであって、第２ケースにおいて、ｄは（Ｋ，ｆ，ｕ０，ｕ１）（ここで、Ｋはｋ番目のスロットに対して０、ｋ＋１番目のスロットに対して１であり、ｆは第１フレームに対して０、第２フレームに対して１であり、ｕ０，ｕ１，ｕ２は前記コードグループ番号の２進数表示からのビットを表す）からなり、ｚ＝ｕ２（ｕ１＋１）ｇ３減ぜられたｍｏｄｕｌｏ−２（ここでｇ３は前記生成行列の行を表す）であることを特徴とするエンコーダ。
【請求項１７】
ＵＴＲＡ  ＴＤＤモードにおける効率的同期チャンネル符号化のためのエンコーダであって、
符号化対象である所定のコードグループと、所定の生成行列Ｇと、コードグループ番号と前記生成行列の行との関数とからコードワードを生成する手段と、
前記コードグループと関連付けされる値ＳＳＳＣ（ここで、ＳＳＳＣ＝（ｂ０ｃπ（０），ｂ１ｃπ（１），ｂ２ｃπ（２））であり、ｃπは前記コードグループ内のコードを表し、ｂ０，ｂ１，ｂ２∈（±１，±ｊ）である）を生成する手段とからなり、前記生成行列は、そこから生成されたパラメータが第１チップレートを示す第１値と第２チップレートを示す第２値との間を変化するような値を有することを特徴とするエンコーダ。
【請求項１８】
請求項１７記載のエンコーダであって、前記生成行列は、第１ケースにおいて、
【数７】
2005503067.tif 000025
に実質的に等しいことを特徴とするエンコーダ。
【請求項１９】
請求項１７または１８記載のエンコーダであって、前記生成行列は、第２ケースにおいて、
【数８】
2005503067.tif 000026
に実質的に等しいことを特徴とするエンコーダ。
【請求項２０】
請求項１７乃至１９何れか一項記載のエンコーダであって、前記コードワードａはａ＝ｄＧ＋ｚ  ｍｏｄｕｌｏ−２（ここで、ｄは符号化対象の所定のコードグループを表し、Ｇは所定の生成行列を表し、ｚはコードグループ番号と前記生成行列の行を表す）により表されることを特徴とするエンコーダ。
【請求項２１】
請求項２０記載のエンコーダであって、第１ケースにおいて、ｄは（Ｃｒ，ｆ，ｕ０，ｕ１，ｕ２）（ここで、Ｃｒはチップレートを示すビットを表し、ｆは第１フレームに対して０、第２フレームに対して１であり、ｕ０，ｕ１，ｕ２は前記コードグループ番号の２進数表示からのビットを表す）からなり、ｚ＝ｕ３（ｕ２＋１）ｇ４減ぜられたｍｏｄｕｌｏ−２（ここで、ｇ４は前記生成行列の行を表す）であることを特徴とするエンコーダ。
【請求項２２】
請求項２０または２１記載のエンコーダであって、第２ケースにおいて、ｄは（Ｃｒ，Ｋ，ｆ，ｕ０，ｕ１）（ここで、Ｃｒはチップレートを示すビットを表し、Ｋはｋ番目のスロットに対して０、ｋ＋１番目のスロットに対して１であり、ｆは第１フレームに対して０、第２フレームに対して１であり、ｕ０，ｕ１，ｕ２は前記コードグループ番号の２進数表示からのビットを表す）からなり、ｚ＝ｕ２（ｕ１＋１）ｇ４減ぜられたｍｏｄｕｌｏ−２（ここで、ｇ４は前記生成行列の行を表す）であることを特徴とするエンコーダ。
【請求項２３】
ＵＭＴＳシステムでの利用のための無線基地局であって、請求項１２乃至２２何れか一項記載のエンコーダからなることを特徴とする無線基地局。
【請求項２４】
請求項１乃至１０何れか一項記載の符号化機能を実行するコンピュータプログラム手段からなることを特徴とするコンピュータプログラム要素。
【発明の詳細な説明】
【０００１】
［発明の技術分野］
本発明は、無線通信ネットワークに関し、特にＴＤＤ（Ｔｉｍｅ  Ｄｉｖｉｓｉｏｎ  Ｄｕｐｌｅｘ）モードで動作するＵＴＲＡ（Ｕｎｉｖｅｒｓａｌ  Ｍｏｂｉｌｅ  Ｔｅｌｅｐｈｏｎｅ  Ｓｙｓｔｅｍ  Ｔｅｒｒｅｓｔｒｉａｌ  Ｒａｄｉｏ  Ａｃｃｅｓｓ）ネットワークに関する。
［発明の背景］
ＵＴＲＡ  ＴＤＤモードでは、同期チャンネル（ＳＣＨ）は２つの機能を有する。第１の機能は、「ノードＢ」（すなわち、ＵＭＴＳシステムの無線基地局）の検索及び特定を行うための「ＵＥ」（無線端末のようなユーザ装置）を可能にする信号を提供することである。第２の機能は、ネットワークとの通信を可能にするため必要に応じて、ＵＥによるＰ−ＣＣＰＣＨ（Ｐｒｉｍａｒｙ  Ｃｏｍｍｏｎ  Ｃｏｎｔｒｏｌ  Ｐｈｙｓｉｃａｌ  ＣＨａｎｎｅｌ）送信の復調と、Ｐ−ＣＣＰＣＨにより搬送されるＢＣＨ（Ｂｒｏａｄｃａｓｔ  ＣＨａｎｎｅｌ）送信チャンネル上で送信されるシステム情報の取得を可能にする十分な情報を提供することである。
【０００２】
ＳＣＨ及びＰ−ＣＣＰＣＨの割り当てには以下のような２つのケースが存在する。
【０００３】
ケース１）  タイムスロット＃ｋ（ただし、ｋ＝０，…，１４）において割り当てられるＳＣＨ及びＰ−ＣＣＰＣＨ
ケース２）  ２つのタイムスロット＃ｋと＃ｋ＋８（ただし、ｋ＝０，…，６）において割り当てられるＳＣＨと、タイムスロット＃ｋにおいて割り当てられるＰ−ＣＣＰＣＨ
ここで、タイムスロット＃ｋはｋ番目のタイムスロットである。このＳＣＨ方式により、Ｐ−ＣＣＰＣＨの位置はＳＣＨからわかる。ＳＣＨは、実数値からなる１つの第１同期コード（ＰＳＣ）と、複素数からなる３つの同期コード（ＳＳＣ）からなり、長さ２５６チップのすべてを構成する。ＰＳＣはすべてのノードＢに共通であるが、ＳＳＣはノードＢ特有のものである。ＰＳＣとＳＳＣは、タイムスロット０の開始からある固定されたタイムオフセット（ｔｏｆｆｓｅｔ）で、所与のノードＢから同時に送信される。タイムオフセットは、すべてのノードＢが同時に共通の第１コードを送信する結果として、もしそうでない場合に起こりうるキャプチャ効果を回避するため含まれる。
【０００４】
マルチチップレートがサポートされるネットワークが考えられるとき、初期のスタートアップ状態において、ＵＥは利用可能なチップレートを認識していない。この状況に対処するため、ＳＣＨは常に固定されたチップレート（例えば、３．８４Ｍｃｐｓ）で送信され、他のトランスポートチャンネルによりセルにおいて利用されるチップレートが第２同期コードＳＳＣ（第２シーケンスを変調することにより）を利用することによりＵＥに信号送信されることが知られている。
【０００５】
これまで、このことは、ネットワーク及びＵＥのメモリ内のテーブルのコードを定義するコードグループやフレーム位置情報を格納することにより行われてきた。しかしながら、このように格納される必要のある情報量はかなりの大きさであるかもしれない。
【０００６】
従って、上述の問題点が軽減されるようなＵＴＲＡ  ＴＤＤモードにおける効率的な同期チャンネル符号化の必要性がある。
［発明の記述］
本発明の第１の特徴によると、請求項１に記載のＵＴＲＡ  ＴＤＤモードにおける効率的な同期チャンネル符号化のための方法が提供される。
【０００７】
本発明の第２の特徴によると、請求項６に記載のＵＴＲＡ  ＴＤＤモードにおける効率的な同期チャンネル符号化のための方法が提供される。
【０００８】
本発明の第３の特徴によると、請求項１２に記載のＵＴＲＡ  ＴＤＤモードにおける効率的な同期チャンネル符号化のためのエンコーダが提供される。
【０００９】
本発明の第４の特徴によると、請求項１７に記載のＵＴＲＡ  ＴＤＤモードにおける効率的な同期チャンネル符号化のためのエンコーダが提供される。
【００１０】
本発明を含むＵＴＲＡ  ＴＤＤモードにおける効率的な同期チャンネル符号化のためのエンコーダ及び方法が、添付された図面を参照して、単なる例示であるが、説明される。
［好適実施例の説明］
ＳＣＨの一般的なフォーマットが図１に概略的に示される。図示されるように、第１同期コード（ＰＣＳ）Ｃｐは、出力ＰＰＳＣで送信される長さ２５６チップの実数値シーケンスである。長さ２５６の第２同期コード（ＳＳＣ）Ｃｓ，ｉ（ｉ＝１，２，３）は、ＰＳＣで
同時に送信され、ＳＳＣの合計出力がＰＳＳＣに設定される。さらに、これらのコードは、複素数ｂｊ（ｊ＝１，２，３）と掛け合わされる。Ｃｓ，ｉの添え字ｓは、第３世代パートナーシッププロジェクトのウェブサイト（ｗｗｗ．３ｇｐｐ．ｏｒｇ）で一般に利用可能な技術仕様「３ＧＰＰ  ＴＳ  ２５．２２３」に規定されるように、３２のコード集合を言及する。情報ビットをＵＥに送信するため、複素数乗数値ｂｊに関連したコード集合ｓが利用される。
【００１１】
タイムスロットの開始に対するＳＣＨの位置は、ｔｏｆｆｓｅｔ，ｎにより定義される。それは以下のように計算される。
【００１２】
【数９】
2005503067.tif 000003
これは以下のように簡潔にすることができる。
【００１３】
【数１０】
2005503067.tif 000004
ただし、Ｔｃはチップデュレーション（ｃｈｉｐ  ｄｕｒａｔｉｏｎ）であり、ｎ＝０，１，…，３１である。ｎの値は、コードグループと関連し、ＳＳＣに関する情報を変調することにより得られる。
【００１４】
ＳＳＣに関する符号化情報
ＳＳＣを構成する３つのコードは、ＱＰＳＫ（Ｑｕａｄｒａｔｕｒｅ  Ｐｈａｓｅ  Ｓｈｉｆｔ  Ｋｅｙ）変調され、ＰＳＣと並列に送信される。ＱＰＳＫ変調は以下の情報を搬送する。
・基地局が属するコードグループ（３２コードグループ：５ビット；ケース１、２）
・２０ｍｓｅｃのインターリーブ期間内のフレームの位置（２フレーム：１ビット、ケース１，２）
・フレーム内のＳＣＨスロットの位置（２ＳＣＨスロット：１ビット、ケース２）
ＳＳＣは、ケース１に対しては２つのコード集合に、ケース２に対しては４つのコード集合に分割される。この集合は、以下の情報を提供するのに利用される。
【００１５】
【表１】
2005503067.tif 000005
コードグループ及びフレーム位置情報は、コード集合の第２コードを変調することにより提供される。
【００１６】
【表２】
2005503067.tif 000006
以下のＳＣＨコードが、各コード集合に対して割り当てられる。
ケース１
コード集合１：Ｃ１，Ｃ３，Ｃ５
コード集合２：Ｃ１０，Ｃ１３，Ｃ１４
ケース２
コード集合１：Ｃ１，Ｃ３，Ｃ５
コード集合２：Ｃ１０，Ｃ１３，Ｃ１４
コード集合３：Ｃ０，Ｃ６，Ｃ１２
コード集合４：Ｃ４，Ｃ８，Ｃ１５
ケース１のためのコード割り当て
図２は、ケース１のためのコード割り当てを例示するテーブルを示す。
【００１７】
ここで、コード集合１からのＳＣＨコードのみを利用したコードグループ０から１５のコード構築が示される。コード集合２からＳＣＨコードを利用したコードグループ１６から３１のコード構築も同様にして行われると理解されるであろう。
【００１８】
ケース２のためのコード割り当て
図３は、ケース２のためのコード割り当てを例示するテーブルを示す。
【００１９】
ここで、コード集合１及び２からのＳＣＨコードを利用したコードグループ０から１５のコード構築が示される。コード集合３及び４からのＳＣＨコードを利用したコードグループ１６から３１のコード構築も同様にして行われると理解されるであろう。
【００２０】
従来のアプローチは、ネットワーク及びＵＥのメモリ内の図２及び３のテーブルに定義される情報を格納するというものであることは理解されるであろう。この従来アプローチを利用して、格納に要される情報量はかなり大きいものであるということがわかるであろう。
【００２１】
上記マッピングプロセスを簡素化する新規な手続きがここで与えられる。
【００２２】
ケース１のための効率的エンコーダ
説明の簡単化のため、以下の記号が導入される。Ｃ＝（ｃπ（０），ｃπ（１），ｃπ（２））をコード集合におけるコードの順列を表すものとすると（ただし、πは順列）、コードグループに関連付けされるＳＳＣは要素単位の積
ＳＳＳＣ＝ｂＣ
により与えられる。ただし、ＳＳＳＣ＝（ｂ０ｃπ（０），ｂ１ｃπ（１），ｂ２ｃπ（２））及び、ｂ０，ｂ１，ｂ２∈（±１，±ｊ）である。
【００２３】
ｕ＝（ｕ０，ｕ１，ｕ２，ｕ３，ｕ４）Ｔをコードグループ番号の２進数表示とし（ここで、添え字Ｔは行列の転置を表す）、ｇ０１，ｇ１１，ｇ２１，ｇ３１とラベル付けされた行を有する以下の生成行列
【００２４】
【数１１】
2005503067.tif 000007
を定義する。２進数コードワードを
ａ＝ｄＧ１＋ｚ  ｍｏｄｕｌｏ−２
により定義する。ただし、ｄ＝（ｆ，ｕ０，ｕ１，ｕ２）Ｔ、
【００２５】
【数１２】
2005503067.tif 000008
また、ｚ＝ｕ３（ｕ２＋１）ｇ３１減じられたｍｏｄｕｌｏ−２である。コードワードａの要素を式
ｓｋ＝２ａ２ｋ＋１＋ａｋ；  ｋ＝０，１，２，３
を利用した整数（０，１，２，３）の集合にマッピングする。ここで、シーケンスｓ＝（ｓ０，ｓ１，ｓ２）は、関連付けされた複素数シーケンス
【００２６】
【数１３】
2005503067.tif 000009
を有する。コード集合と順列の選択は、
【００２７】
【表３】
2005503067.tif 000010
により与えられる。
【００２８】
ケース２のための効率的エンコーダ
ｇ０２，ｇ１２，ｇ２２，ｇ３２とラベル付けされた行を有する以下の生成行列
【００２９】
【数１４】
2005503067.tif 000011
を定義せよ。２進数コードワードを
ａ＝ｄＧ２＋ｚ  ｍｏｄｕｌｏ−２
により定義する。ただし、ｄ＝（Ｋ，ｆ，ｕ０，ｕ１）Ｔ、
【００３０】
【数１５】
2005503067.tif 000012
また、ｚ＝ｕ２（ｕ１＋１）ｇ３２減じられたｍｏｄｕｌｏ−２である。このプロセスは、以下に示されるように、順列とコード集合マッピングがケース２を表すよう変更されているという以外、ケース１と同一の方法に従う。
【００３１】
【表４】
2005503067.tif 000013
従って、必要な第２同期チャンネル符号化の実効が可能となるよう、上記テーブル１及び２のデータのみが、従来技術のように図２及び３のテーブルのデータの格納の必要性よりむしろ上記符号化プロセスに従い、メモリに格納される必要があるということは理解されるであろう。
【００３２】
ケース１及び２の上記プロセスを実行するための効率的なエンコーダ４００は、図４に一般に示される。この図に示されるように、ブロックステップ４１０において、２進数コードワードａ＝ｄＧ＋ｚ  ｍｏｄｕｌｏ−２が計算される。次に、ブロック４２０において、式ｓｋ＝２ａ２ｋ＋１＋ａｋ；  ｋ＝０，１，２，３が計算される。最後に、ブロック４３０において、第２同期コードＳＳＳＣ＝（ｂ０ｃπ（０），ｂ１ｃπ（１），ｂ２ｃπ（２））が計算される。
【００３３】
より高いチップレートの信号送信
以下に説明されるように、生成行列の修正はセルで利用されるチップレートの符号化を可能にする。
【００３４】
Ｃｒをチップレートとする。ただし、
【００３５】
【数１６】
2005503067.tif 000014
以下を有する。
【００３６】
ケース１：
以下の生成行列を定義し、
【００３７】
【数１７】
2005503067.tif 000015
２進数コードワードを
ａ＝ｄＧ１＋ｚ  ｍｏｄｕｌｏ−２
により定義する。ただし、ｄ＝（Ｃｒ，ｆ，ｕ０，ｕ１，ｕ２）Ｔ及び、ｚ＝ｕ３（ｕ２＋１）ｇ４１である。ここで、Ｃｒが０であるとき、生成行列により生成されるコードワードは不変である。より高いチップレートを表すＣｒが１のとき、シーケンス
【００３８】
【数１８】
2005503067.tif 000016
の第３要素が実数でない虚数となる。
【００３９】
ケース２：
以下の生成行列
【００４０】
【数１９】
2005503067.tif 000017
を定義する。２進数コードワードを
ａ＝ｄＧ２＋ｚ  ｍｏｄｕｌｏ−２
により定義する。ただし、ｄ＝（Ｃｒ，Ｋ，ｆ，ｕ０，ｕ１）Ｔ及び、ｚ＝ｕ２（ｕ１＋１）ｇ４２である。Ｃｒが０であるとき、生成行列により生成されるコードワードは不変である。より高いチップレートを表すＣｒが１のとき、シーケンス
【００４１】
【数２０】
2005503067.tif 000018
の第３要素が実数でない虚数となる。
【００４２】
上述の符号化プロセスは、プロセッサ（図示せず）上で実行されるソフトウェアにおいて典型的には実行され、このソフトウェアは磁気または光学コンピュータディスクのような任意の適切なデータキャリア（図示せず）上で実行されるコンピュータプログラム要素として与えられるということは認識されるであろう。
【００４３】
上述のエンコーダは、補完的デコード処理が「ＵＥ」及び「ノードＢ」でそれぞれ与えられる場合、基地局（「ノードＢ」−図示せず）及び移動局（「ＵＥ」−図示せず）に内蔵されるということが認識されるであろう。
【００４４】
上述のＵＴＲＡ  ＴＤＤモードでの効率的な同期チャンネル符号化のためのエンコーダ及び方法は以下の効果を有するということが理解されるであろう。
・ＵＴＲＡ  ＴＤＤモードでの同期チャンネルの効率的な符号化アーキテクチャ
・さらに、生成行列の簡単な操作により、より高いチップレートの信号が、より低いチップレートのための信号情報を保持しながら、信号送信されるかもしれない。
【図面の簡単な説明】
【００４５】
【図１】図１は、ＵＴＲＡ  ＴＤＤモードでのＳＣＨのフォーマットを概略的に示す。
【図２】図２は、ケース１に対するテーブル形式のコード割り当てを示す。
【図３】図３は、ケース２に対するテーブル形式のコード割り当てを示す。
【図４】図４は、本発明を有するエンコーダをブロック形式で概略的に示す。
【図１】
2005503067.tif 000027
【図２】
2005503067.tif 000028
【図３】
2005503067.tif 000029
【図４】
2005503067.tif 000030
【国際公開パンフレット】
2005503067.tif 000031
2005503067.tif 000032
2005503067.tif 000033
2005503067.tif 000034
2005503067.tif 000035
2005503067.tif 000036
2005503067.tif 000037
2005503067.tif 000038
2005503067.tif 000039
2005503067.tif 000040
2005503067.tif 000041
2005503067.tif 000042
2005503067.tif 000043
2005503067.tif 000044
2005503067.tif 000045
2005503067.tif 000046
2005503067.tif 000047
2005503067.tif 000048
2005503067.tif 000049
2005503067.tif 000050
2005503067.tif 000051
2005503067.tif 000052
2005503067.tif 000053
2005503067.tif 000054
2005503067.tif 000055
2005503067.tif 000056
2005503067.tif 000057
2005503067.tif 000058
【国際公開パンフレット（コレクトバージョン）】
2005503067.tif 000059
2005503067.tif 000060
【国際調査報告】
2005503067.tif 000061
2005503067.tif 000062
2005503067.tif 000063